(57)【要約】  情報処理装置における割り込み情報出力要求検出部は、出力情報が出力部に出力されているときに、新たに出力部に出力される情報であり複数の出力内容を含む割り込み情報の入力を検出する。出力制御部は、出力情報の種別に基づいて、出力部に出力する割り込み情報の出力内容を制限する。これにより、情報処理装置は、着信通知などの個人情報を出力部に出力するか否かを切り替えることができる。
2014136525.tif 000002
【特許請求の範囲】
【請求項１】
出力情報が出力部に出力されているときに、新たに前記出力部に出力される割り込み情報の発生を検出する割り込み情報出力要求検出部と、
前記出力情報の種別に基づいて、前記割り込み情報の前記出力部への出力内容を制限する出力制御部と、
を備える情報処理装置。
【請求項２】
前記出力情報の種別は、公開対象範囲の限定されている種別である請求項１に記載の情報処理装置。
【請求項３】
前記出力制御部は、前記出力情報の種別が公開対象範囲の限定されていない種別である場合に、複数の出力内容を含む割り込み情報のうち公開内容の制限された簡易情報を前記出力部に出力する請求項１または請求項２に記載の情報処理装置。
【請求項４】
前記出力制御部は、前記出力情報の種別が公開対象範囲の限定されている種別である場合に、複数の出力内容を含む割り込み情報のうち公開内容の制限されていない詳細情報を前記出力部に出力する請求項１または請求項２に記載の情報処理装置。
【請求項５】
公開対象範囲の限定されている種別を示すフラグを前記出力情報に対するユーザ入力に基づいて関連付けるフラグ付与部
を備え、
前記出力制御部は、前記フラグに基づいて、前記出力情報の種別をそれぞれの公開対象範囲がわかるように出力する請求項１から請求項４の何れか一項に記載の情報処理装置。
【請求項６】
前記出力制御部は、前記公開対象範囲の限定されていない種別を示すフラグに関連付けられた出力情報を前記出力部に出力している状態において、ユーザ操作に基づいて出力情報を前記出力部に出力する請求項２から請求項５の何れか一項に記載の情報処理装置。
【請求項７】
前記出力制御部は、前記公開対象範囲の限定されていない種別を示すフラグに関連付けられた出力情報を前記出力部に出力している状態において、所定のユーザ操作がされた場合に、すべての出力情報を前記出力部に出力する請求項２から請求項６の何れか一項に記載の情報処理装置。
【請求項８】
前記出力制御部は、前記公開対象範囲の限定されていない種別を示すフラグと関連付けられた出力情報を前記出力部に出力している状態において、所定のユーザ操作と異なるユーザ操作がされた場合に、すべての出力情報を前記出力部に出力する請求項２から請求項６の何れか一項に記載の情報処理装置。
【請求項９】
ユーザの指の所定本数による操作入力、または、数量を識別可能なオブジェクトの所定数による操作入力に基づいて、前記所定のユーザ操作を検出するユーザ操作検出部を備える請求項７または請求項８に記載の情報処理装置。
【請求項１０】
ユーザの指の所定本数以外の任意の本数による操作入力、または、数量を識別可能なオブジェクトの所定数以外の任意の数よる操作入力に基づいて、前記所定のユーザ操作を検出するユーザ操作検出部を備える請求項７または請求項８に記載の情報処理装置。
【請求項１１】
前記ユーザ操作検出部は、ユーザの指の所定本数よりも多い任意の本数による操作入力、または、数量を識別可能なオブジェクトの所定数よりも多い任意の数よる操作入力に基づいて、前記所定のユーザ操作を検出する請求項１０に記載の情報処理装置。
【請求項１２】
前記ユーザ操作検出部は、ユーザの指の所定本数よりも少ない任意の本数による操作入力、または、数量を識別可能なオブジェクトの所定数よりも少ない任意の数よる操作入力に基づいて、前記所定のユーザ操作を検出する請求項１０に記載の情報処理装置。
【請求項１３】
出力情報が出力部に出力されているときに、新たに前記出力部に出力される割り込み情報の発生を検出し、
前記出力情報の種別に基づいて、前記割り込み情報の前記出力部への出力内容を制限する、
情報処理方法。
【請求項１４】
前記出力情報の種別は、公開対象範囲の限定されている種別である請求項１３に記載の情報処理方法。
【請求項１５】
前記出力情報の種別が公開対象範囲の限定されていない種別である場合に、複数の出力内容を含む割り込み情報のうち公開内容の制限された簡易情報を出力部に出力する請求項１３または請求項１４に記載の情報処理方法。
【請求項１６】
情報処理装置のコンピュータを、
出力情報が出力部に出力されているときに、新たに前記出力部に出力される割り込み情報の発生を検出する割り込み情報出力要求検出手段、
前記出力情報の種別に基づいて、前記割り込み情報の前記出力部への出力内容を制限する出力制御手段、
として機能させるプログラム。
【請求項１７】
前記出力情報の種別は、公開対象範囲の限定されている種別である請求項１６に記載のプログラム。
【請求項１８】
前記出力制御手段は、前記出力情報の種別が公開対象範囲の限定されていない種別である場合に、複数の出力内容を含む割り込み情報のうち公開内容の制限された簡易情報を前記出力部に出力する請求項１６または請求項１７に記載のプログラム。
【発明の詳細な説明】
【技術分野】
【０００１】
本発明は、出力情報を制限する情報処理装置、情報処理方法及びプログラムに関する。
【背景技術】
【０００２】
スマートフォンやタブレット端末などの情報処理装置においては、個人情報の取り扱いが重要視されており、他人に容易に操作されないようにパスワードなどが設定できる機能を備えている。
特許文献１には、ユーザの要望に応じて情報処理装置にセキュリティを施すモード設定を行い、情報処理装置の紛失時に着信通知などの個人情報が漏洩しないようにする技術が記載されている。
また、特許文献２には、情報処理装置の１つであるデジタルカメラ（電子カメラ）において表示された画像を不特定多数の人に見せる際に、必要な画像以外は表示しないようにして、個人情報を保護する技術が記載されている。
【先行技術文献】
【特許文献】
【０００３】
【特許文献１】日本国特開２００７−２７４２４０号公報
【特許文献２】日本国特開２００４−２１５１０３号公報
【発明の概要】
【発明が解決しようとする課題】
【０００４】
しかしながら、特許文献１や特許文献２に記載されている技術においては、セキュリティを施すモード設定に連動して着信通知や画像などの個人情報の表示／非表示を決定している。したがって、個人情報を他人に見られないようにするためには、予め当該着信通知や画像などを非表示とするモードに設定しておく必要がある。また、特許文献１や特許文献２に記載されている技術においては、ある情報を非表示設定している状態において、ユーザが個人情報を表示させる場合には、更に個人情報を表示できるようにモードを変更する必要があり、ユーザにとって面倒な操作が増えるという不都合が生じる。【０００５】
本発明は、上記の課題を解決することのできる情報処理装置、情報処理方法及びプログラムを提供することを目的としている。
【課題を解決するための手段】
【０００６】
上記目的を達成するために、本発明の情報処理装置は、出力情報が出力部に出力されているときに、新たに前記出力部に出力される割り込み情報の発生を検出する割り込み情報出力要求検出部と、前記出力情報の種別に基づいて、前記割り込み情報の前記出力部への出力内容を制限する出力制御部とを備える。【０００７】
また本発明の情報処理方法は、出力情報が出力部に出力されているときに、新たに前記出力部に出力される割り込み情報の発生を検出し、前記出力情報の種別に基づいて、前記割り込み情報の前記出力部への出力内容を制限する。【０００８】
また本発明のプログラムは、情報処理装置のコンピュータに、出力情報が出力部に出力されているときに、新たに前記出力部に出力される割り込み情報の発生を検出する割り込み情報出力要求検出機能、前記出力情報の種別に基づいて、前記割り込み情報の前記出力部への出力内容を制限する出力制御機能を行わせる。
【発明の効果】
【０００９】
本発明によれば、設定されているモードに関わらず、現在出力部に出力されている出力の識別子に応じて、着信通知などの個人情報を出力するか否かを切り替えることができる。
【図面の簡単な説明】
【００１０】
【図１】本発明の情報処理装置の主要部を示すブロック図である。
【図２】本発明の第一の実施形態による情報処理装置を示すブロック図である。
【図３】図２に示された出力部における、出力情報の種別の出力例を示す平面図である。
【図４】図２に示された出力部における、公開対象範囲の限定されていない画像が出力されている場合の割り込み情報の表示例を示す平面図である。
【図５】図２に示された出力部における、公開対象範囲の限定されている画像が出力されている場合の割り込み情報の表示例を示す平面図である。
【図６】図２に示された記憶部における、出力情報とその出力情報の公開対象範囲を示すフラグとの関連付けを記憶するデータテーブルの例を示す表である。
【図７Ａ】本発明の第一の実施形態による情報処理装置の処理を示すフローチャートである。
【図７Ｂ】本発明の第一の実施形態による情報処理装置の処理を示すフローチャートである。
【図８】本発明の第二の実施形態による情報処理装置を示すブロック図である。
【図９Ａ】本発明の第二の実施形態による情報処理装置の処理を示すフローチャートである。
【図９Ｂ】本発明の第二の実施形態による情報処理装置の処理を示すフローチャートである。
【図１０Ａ】本発明の第三の実施形態による情報処理装置の処理を示すフローチャートである。
【図１０Ｂ】本発明の第三の実施形態による情報処理装置の処理を示すフローチャートである。
【発明を実施するための形態】
【００１１】
図１は、本発明の実施形態の情報処理装置１０の最小構成を示す機能ブロック図である。
本発明の情報処理装置１０は、図１で示すように、少なくとも割り込み情報出力要求検出部１０１と、出力制御部１０２との機能部を備える。
割り込み情報出力要求検出部１０１は、出力情報が出力部に出力されているときに、新たに出力部に出力される情報である割り込み情報の入力（発生）を検出する機能部である。
出力制御部１０２は、出力情報の種別に基づいて、出力部に出力する割り込み情報の出力内容を制限する機能部である。
割り込み情報出力要求検出部１０１、および出力制御部１０２の各機能部は、例えば情報処理装置１０の制御部（例えばＣＰＵ：Ｃｅｎｔｒａｌ  Ｐｒｏｃｃｅｓｓｉｎｇ  Ｕｎｉｔ）が制御プログラムを実行することにより、実現される。
【００１２】
＜第一の実施形態＞
図２は、本発明の第一の実施形態による情報処理装置１０の構成を示す機能ブロック図である。
図２で示すように、第一の実施形態による情報処理装置１０は、図１で示した情報処理装置１０の最小構成を示す機能に加え、情報種別判定部１０３、フラグ付与部１０４、出力部１１０、記憶部１１１を備える。
情報種別判定部１０３は、出力制御部１０２が出力部１１０に出力中の出力情報の種別を判定する機能部である。
フラグ付与部１０４は、公開対象範囲の限定されている種別を示すフラグを出力情報に対するユーザ入力に基づいて関連付ける機能部である。
出力部１１０は、出力制御部１０２の制御に基づいて、種々の情報を出力する出力部である。この出力部１１０は、例えば、映像を映すためのスクリーン、液晶ディスプレイ、有機ＥＬ（Ｅｌｅｃｔｒｏ−Ｌｕｍｉｎｅｓｃｅｎｃｅ）ディスプレイ、音を出力するためのスピーカなどであり、人間の五感を介して出力情報を適切に伝えられるものであればどのような出力部であってもよい。
記憶部１１１は、情報処理装置１０の動作に必要な種々の情報を記憶する記憶部である。
出力制御部１０２は、出力情報の種別が公開対象範囲の限定されていない種別である場合に、複数の出力内容を含む割り込み情報のうち公開内容の制限された簡易情報を出力部１１０に出力する機能部である。また、出力制御部１０２は、フラグに基づいて、出力情報の種別をそれぞれ公開対象範囲がわかるように出力する機能部である。
割り込み情報出力要求検出部１０１、出力制御部１０２、情報種別判定部１０３、およびフラグ付与部１０４の各機能部は、例えば情報処理装置１０の制御部（例えばＣＰＵ）が制御プログラムを実行することにより、実現される。
本実施形態による情報処理装置１０には、上述の機能部に加え、他の機能部が追加されてもよい。
【００１３】
図３は、ユーザが出力情報の種別を指定したときの出力部１１０の出力例を示す図である。
この図に示すＡ〜Ｈはそれぞれ出力部１１０に出力される出力情報を示しており、この例におけるＡ〜Ｈは画像である。また、このときの出力部１１０は表示部である。
Ａ〜Ｈの各画像の左上に示される選択表示ボックスａは、出力情報（画像）を公開対象範囲の設定状況を示している。例えば、ユーザが、出力情報に対してユーザ入力する、すなわち図３で示すように表示された画像のうちＢ、Ｃ、Ｄ、Ｆ、Ｇに対してタップすることで、公開対象範囲の限定されていない画像を選択する。次に、図３で示す表示アイコン２０１をユーザがタップすると、出力制御部１０２は、公開対象範囲の限定されていない画像であることを示す“レ”印をユーザが選択したＢ、Ｃ、Ｄ、Ｆ、Ｇに関連付けて出力部１１０の選択表示ボックスａに表示する。
【００１４】
図４は、公開対象範囲の限定されていない画像が出力部１１０に出力されているときに着信通知があった場合の割り込み情報の表示例を示す図である。
この図４は、ユーザ操作により画像Ｂを出力している場合を示している。ここで画像Ｂは公開対象範囲の限定されていない画像である。このような状況で割り込み情報を着信すると、出力制御部１０２は、個人情報である発信者の詳細情報を他人に知られるのを防ぐために、発信者名や電話番号などの情報を含まない、例えば“着信アリ”などの割り込み表示を行う。
出力制御部１０２は、公開対象範囲の限定されていない画像を出力部１１０に出力しているときには、例えば出力部１１０の表示枠を細い破線や赤色の線で表示し、公開対象範囲の限定されている画像を出力部１１０に出力しているときには、例えば出力部１１０の表示枠を太い実線や青色の線で表示して、公開対象範囲を識別できるように表示する。
なお、出力制御部１０２は、着信通知を画像Ｂと切り替えて出力部１１０に表示してもよい。
【００１５】
図５は、公開対象範囲の限定されている画像が出力部１１０に出力されているときに電話の着信通知があった場合の割り込み情報の表示例を示す図である。
この図５で示すように、出力部１１０に出力中の画像Ａが公開対象範囲の限定されている画像である場合、情報処理装置１０は、ユーザ１人のみが現在画像Ａを見ていると判断し、現在画像Ａを見ている人に発信者の詳細情報を表示しても問題ないとして、出力制御部１０２は発信者名や電話番号などの発信者の詳細情報、例えば“○○さんからの着信通知です”、“０９０  ＸＸＸＸ  ＸＸＸＸ”などの情報を記憶部１１１から読み出し出力部１１０に出力する。また、出力制御部１０２は、例えば、記憶部１１１の記憶する顔写真を事前にアドレス帳に登録し、着信時に発信者が誰であるかをよりわかり易くするために発信者の顔写真を出力部１１０に表示してもよい。
出力制御部１０２は、公開対象範囲の限定されている画像を出力部１１０に出力するときには、例えば出力部１１０の表示枠を太い実線で表示したり、青い線で表示したりするなど、公開対象範囲の限定されていない画像を出力部１１０に出力する場合と異なる表示にする。これにより、他人に画像を見せているときやユーザ１人のみが画像を見ているときに、指の本数を変えて行う操作の判断が容易になる。
【００１６】
図６は、出力情報とその出力情報の公開対象範囲を示すフラグとを関連付けて記憶部１１１が記憶するデータテーブルの例を示す図である。
この図６で示すデータテーブルの例は、図３で示した出力例のようにユーザの各画像に対して公開対象範囲を設定入力した場合の例に対応しており、公開対象範囲の限定されている種別を示すフラグが各出力情報に関連付けて記録される。このデータテーブルにおいて、画像Ａ、Ｅ、Ｈは、公開対象範囲の限定されている種別を示すフラグ“０”と関連付けられて記憶部１１１に記憶されている。また、このデータテーブルにおいて、画像Ｂ、Ｃ、Ｄ、Ｆ、Ｇは、公開対象範囲の限定されていない種別を示すフラグ“１”と関連付けられて記憶部１１１に記憶されている。
【００１７】
図７Ａおよび７Ｂは、本発明の第一の実施形態による情報処理装置１０の処理フローを示す図である。
次に、情報処理装置１０が出力情報の種別に基づいて割り込み情報を出力部１１０に出力する場合を例に、第一の実施形態による情報処理装置１０の処理フローを説明する。ただし、情報処理装置１０は、出力情報として画像を出力部１１０に出力する場合について説明する。
【００１８】
まず、ユーザは、出力情報として画像をカメラなどで撮影し記憶部１１１に記録する。
あるいは、ユーザは、ユーザ以外の人、例えば友人が撮影した画像を出力情報として取得し、記憶部１１１に記録する。なお、出力情報を記憶する記憶部は、記憶部１１１に限定するものではなく、情報処理装置１０の内外を問わず、情報処理装置１０が読み取りや書き込みを行うことのできる記憶装置であればどのような記憶装置であってもよい。
【００１９】
次に、出力制御部１０２は、図３で示した出力例のように記憶部１１１の記憶する各画像に対して公開対象範囲を設定入力するための画面を出力部１１０に出力する（ステップＳ１）。記憶部１１１の記憶する画像が出力部１１０の一画面に収まらない場合、画面先送り機能を設けて複数の画面により全ての画像を表示してもよいし、スクロール機能を設け、画面をスクロールすることで全ての画像を表示してもよい。
次に、ユーザは、出力部１１０に出力されている出力情報である画像に対してタップなどのユーザ入力を行うことにより、公開対象範囲の限定されていない画像を選択する。ユーザが出力部１１０に出力された画像に対してユーザ入力を行うことで、フラグ付与部１０４は、出力部１１０を介してユーザ入力を検出し、検出したユーザ入力に基づいて、公開対象範囲の限定されていない画像を選択する（ステップＳ２）。このとき、フラグ付与部１０４は、ユーザ入力に基づいて、図６で示したデータテーブルのように、出力部１１０のタップされた位置に対応する画像（出力情報）と、その画像の公開対象範囲を示すフラグ（１か０か）とを関連付けて記憶部１１１に記録する（ステップＳ３）。
【００２０】
次に、記憶部１１１が画像を記憶している状況で、ユーザが出力部１１０に出力された表示アイコン２０１をタップする。すると、出力制御部１０２は、出力部１１０からタップに対応した信号を受信し、記憶部１１１に記録した画像のうち公開対象範囲の限定されていないことを示すフラグと関連付けられた画像を読み出して出力部１１０に出力する（ステップＳ４）。具体的には、例えば図６で示したデータテーブルのように画像Ｂ、Ｃ、Ｄ、Ｆ、Ｇがそれぞれ種別として公開対象範囲の限定されていないことを示すフラグ“１”と関連付けられている場合、ユーザが表示アイコン２０１をタップすると、出力制御部１０２は、記憶部１１１からまず公開対象範囲の限定されていないことを示すフラグ“１”に関連付けられた画像Ｂを読み出して出力部１１０に出力する。次に、ユーザが出力部１１０に表示されている画像Ｂを例えば２度タップするユーザ操作を行うと、出力制御部１０２は、公開対象範囲の限定されていないことを示すフラグ“１”に関連付けられた画像Ｃを読み出して出力部１１０に出力する。同様に、ユーザが出力部１１０に表示されている画像を２度タップすることを繰り返す度、出力制御部１０２は、公開対象範囲の限定されていないことを示すフラグ“１”に関連付けられた画像である画像Ｄ、Ｆ、Ｇをタップする度に順に出力部１１０に出力する。
【００２１】
割り込み情報出力要求検出部１０１は、表示要求として電話の着信通知を検出し、電話の着信通知を出力制御部１０２に出力する（ステップＳ５）。
情報種別判定部１０３は、割り込み情報出力要求検出部１０１が割り込み情報を検出すると、出力部１１０に出力している画像の種別を判定し、種別が“０”であるか“１”であるかを特定して出力制御部１０２に判定結果を出力する（ステップＳ６）。そして、出力制御部１０２は、ステップＳ５の処理で割り込み情報を入力し、ステップＳ６の処理で情報種別判定部１０３から判定結果を入力すると、入力した結果の種別に基づいて割り込み情報を出力部１１０に出力する（ステップＳ７）。
出力制御部１０２が公開対象範囲の限定されていないことを示す種別“１”に関連付けられた画像である画像Ｂを出力部１１０に出力しているときに、情報処理装置１０が電話を着信したと仮定する。この場合、割り込み情報出力要求検出部１０１が割り込み情報を検出すると、情報種別判定部１０３は、出力部１１０に出力している画像Ｂの種別を判定し、種別“１”（公開対象範囲が限定されていない）と特定して出力制御部１０２に判定結果を出力する（ステップＳ６）。そして、出力制御部１０２は、ステップＳ５の処理で割り込み情報を入力し、ステップＳ６の処理で情報種別判定部１０３から判定結果を入力すると、入力した結果の種別“１”に基づいて割り込み情報を図４で示したような簡易情報で出力部１１０に出力する（ステップＳ７ａ）。
また、出力制御部１０２が公開対象範囲の限定されていることを示す種別“０”に関連付けられた画像である画像Ａを出力部１１０に出力しているときに、情報処理装置１０が電話を着信したと仮定する。この場合、割り込み情報出力要求検出部１０１が割り込み情報を検出すると、情報種別判定部１０３は、出力部１１０に出力している画像Ａの種別を判定し、種別“０”（公開対象範囲が限定されている）と特定して出力制御部１０２に判定結果を出力する。次に、出力制御部１０２は、ステップＳ５の処理で割り込み情報を入力し、ステップＳ６の処理で情報種別判定部１０３から判定結果を入力すると、入力した結果の種別“０”に基づいて割り込み情報を図５で示したような詳細情報で出力部１１０に出力する（ステップＳ７ｂ）。
【００２２】
以上のように、本発明の第一の実施形態による情報処理装置１０によれば、設定されているモードに関わらず、現在出力部１１０に出力されている出力の識別子に応じて、着信通知などの個人情報を出力するか否かを切り替えることができる。
【００２３】
＜第二の実施形態＞
図８は、本発明の第二の実施形態による情報処理装置１０の構成を示す機能ブロック図である。
図８で示すように、第二の実施形態による情報処理装置１０は、図２で示した第一の実施形態による情報処理装置１０の示す機能に加え、ユーザ操作検出部１０５を備える。
ユーザ操作検出部１０５は、ユーザの指の所定本数（例えば１本の指）以外の任意の本数（例えば２本）による操作入力、または、数量を識別可能なオブジェクトの所定数（例えば１本のペン）以外の任意の数（例えば２本のペンや２か所が同時に触れるペン）による操作入力に基づいて、所定のユーザ操作を検出する機能部である。
ここで、専用のアプリケーションプログラムにより情報処理装置１０が、ユーザの１本の指または、タッチペンなど１本のオブジェクトで操作するように設定されていると仮定する。出力制御部１０２が公開対象範囲の限定されていない出力情報を出力部１１０に出力している場合に、１本以外の指またはオブジェクトによるユーザ操作が行われると、１本の指の操作では出力部１１０に出力されない公開対象範囲の限定されている出力情報も出力部１１０に出力する。
割り込み情報出力要求検出部１０１、出力制御部１０２、情報種別判定部１０３、フラグ付与部１０４、およびユーザ操作検出部１０５の各機能部は、例えば情報処理装置１０の制御部（例えばＣＰＵ）が制御プログラムを実行することにより、実現される。
また、本実施形態による情報処理装置１０は、上述の機能部に加え、他の機能部が追加されてもよい。
【００２４】
図９Ａおよび９Ｂは、本発明の第二の実施形態による情報処理装置１０の処理フローを示す図である。
情報処理装置１０が出力情報の種別に基づいて割り込み情報を出力部１１０に出力する場合を例に、第二の実施形態による情報処理装置１０の処理フローを説明する。ただし、ここでは、情報処理装置１０が出力情報として画像を出力部１１０に出力する場合について説明する。
ここで、ユーザが所定のユーザ操作である１本の指または、タッチペンなど１本のオブジェクトで操作する場合、出力制御部１０２は、公開対象範囲の限定されていない出力情報を出力部１１０に出力すると仮定する。また、ユーザが所定のユーザ操作と異なる１本以外の指またはオブジェクトで操作する場合には、出力制御部１０２は、公開対象範囲の限定されている出力情報も出力部１１０に出力すると仮定する。
【００２５】
まず、ユーザは、出力情報として画像をカメラなどで撮影し記憶部１１１に記録する。
あるいは、ユーザは、ユーザ以外の人、例えば友人が撮影した画像を出力情報として取得し、記憶部１１１に記録する。
次に、出力制御部１０２は、図３で示した出力例のように記憶部１１１の記憶する各画像に対して公開対象範囲を設定入力するための画面を出力部１１０に出力する（ステップＳ１）。
そしてユーザは、出力部１１０に出力されている出力情報である画像に対してタップなどのユーザ入力を行うことにより、公開対象範囲の限定されていない画像を選択する。ユーザが出力部１１０に出力された画像に対してユーザ入力を行うことで、フラグ付与部１０４は、出力部１１０を介してユーザ入力を検出し、検出したユーザ入力に基づいて、公開対象範囲の限定されていない画像を選択する（ステップＳ２）。このとき、フラグ付与部１０４は、ユーザ入力に基づいて、図６で示したデータテーブルのように、出力部１１０のタップされた位置に対応する画像（出力情報）と、その画像の公開対象範囲を示すフラグ（１か０か）とを関連付けて記憶部１１１に記録する（ステップＳ３）。
【００２６】
次に、記憶部１１１が画像を記憶している状況で、ユーザが図３で示したような出力部１１０に出力された表示アイコン２０１を１本の指でタップする。すると、ユーザ操作検出部１０５は、出力部１１０に出力された表示アイコン２０１を１本の指でタップしたことを検出し、その検出結果を出力制御部１０２に出力する（ステップＳ８）。出力制御部１０２は、ユーザ操作検出部１０５から検出結果を入力すると、その検出結果に基づいて記憶部１１１に記録した画像のうち公開対象範囲の限定されていないことを示すフラグと関連付けられた画像を読み出し、出力部１１０に出力する（ステップＳ９）。例えば図６で示したデータテーブルのように画像Ｂ、Ｃ、Ｄ、Ｆ、Ｇがそれぞれ種別として公開対象範囲の限定されていないことを示すフラグ“１”と関連付けられている場合、ユーザが表示アイコン２０１をタップすると、出力制御部１０２は、記憶部１１１からまず公開対象範囲の限定されていないことを示すフラグ“１”に関連付けられた画像Ｂを読み出して出力部１１０に出力する。次に、ユーザが出力部１１０に表示されている画像Ｂを１本指で２度タップすると、出力制御部１０２は、公開対象範囲の限定されていないことを示すフラグ“１”に関連付けられた画像Ｃを読み出して出力部１１０に出力する。次に、ユーザが出力部１１０に表示されている画像Ｃを１本指で２度タップすると、出力制御部１０２は、公開対象範囲の限定されていないことを示すフラグ“１”に関連付けられた画像Ｄを読み出して出力部１１０に出力する。
【００２７】
ここで、ユーザが出力部１１０に表示されている画像Ｄを２本の指で２度タップする。
すると、ユーザ操作検出部１０５は、出力部１１０に表示されている画像Ｄを２本の指で２度タップされたことを検出し、公開内容の制限されていない画像を表示するという検出結果を出力制御部１０２に出力する（ステップＳ１０）。出力制御部１０２は、ユーザ操作検出部１０５から検出結果を入力すると、公開内容の制限されていない画像を表示するという検出結果に基づいて記憶部１１１に記録した画像のうち公開対象範囲の限定されていることを示すフラグと関連付けられた画像も読み出し、出力部１１０に出力する（ステップＳ１１）。例えば図６で示したデータテーブルのように画像Ｂ、Ｃ、Ｄ、Ｆ、Ｇがそれぞれ種別として公開対象範囲の限定されていないことを示すフラグ“１”と関連付けられている場合において、出力制御部１０２が出力部１１０に画像Ｄを出力していると仮定する。ここで、ユーザが出力部１１０に表示されている画像Ｄを２本指で２度タップすると、出力制御部１０２は、公開対象範囲の限定されていることを示すフラグ“０”に関連付けられた画像Ｅを読み出し、出力部１１０に出力する。次に、ユーザが出力部１１０に表示されている画像Ｅを２本指で２度タップすると、出力制御部１０２は、公開対象範囲の限定されていることを示すフラグ“０”に関連付けられた画像Ｈを読み出し、出力部１１０に出力する。
【００２８】
ここで、出力制御部１０２が公開対象範囲の限定されていることを示すフラグ“０”に関連付けられた画像である画像Ｈを出力部１１０に出力しているときに、情報処理装置１０が電話の着信通知を受信すると仮定する。
このとき、割り込み情報出力要求検出部１０１は、表示要求として電話の着信通知を検出し、電話の着信通知を出力制御部１０２に出力する（ステップＳ５）。
情報種別判定部１０３は、割り込み情報出力要求検出部１０１が割り込み情報を検出すると、出力部１１０に出力している画像の種別を判定し、種別が“０”か“１”かを特定して出力制御部１０２に判定結果を出力する（ステップＳ６）。そして、出力制御部１０２は、ステップＳ５の処理で割り込み情報を入力し、ステップＳ６の処理で情報種別判定部１０３から判定結果を入力すると、入力した結果の種別に基づいて割り込み情報を出力部１１０に出力する（ステップＳ７）。
【００２９】
なお、上述の処理フローにおけるステップＳ８で、ユーザが１本以外の指により操作した場合、ユーザ操作検出部１０５は、個人情報などを含む公開内容の制限されていない画像を表示するという検出結果を出力制御部１０２に出力する。そして、出力制御部１０２は、ユーザ操作検出部１０５から検出結果を入力すると、公開内容の制限されていない画像を表示するという検出結果に基づいて記憶部１１１に記録した画像のうち公開対象範囲の限定されていることを示すフラグと関連付けられた画像も読み出し、出力部１１０に出力する。
【００３０】
上述の実施形態では、ユーザ操作検出部１０５は、ユーザの指の所定本数以外の任意の本数による操作入力、または、数量を識別可能なオブジェクトの所定数以外の任意の数よる操作入力に基づいて、所定のユーザ操作を検出するものとして説明した。
しかし、ユーザ操作検出部１０５は、ユーザの指の所定本数よりも多い任意の本数による操作入力、または、数量を識別可能なオブジェクトの所定数よりも多い任意の数よる操作入力に基づいて、公開内容の制限されていない画像を表示してもよい。また、ユーザ操作検出部１０５は、ユーザの指の所定本数よりも少ない任意の本数による操作入力、または、数量を識別可能なオブジェクトの所定数よりも少ない任意の数よる操作入力に基づいて、公開内容の制限されていない画像を表示してもよい。
例えば、ユーザ操作検出部１０５は、ユーザの指の所定本数よりも多い任意の本数による操作入力に基づいて、所定のユーザ操作を検出する場合、ユーザの指の所定本数を２本とすると、ユーザ操作検出部１０５は、ユーザの３本以上の指による操作を検出した場合もユーザの指の所定本数により操作されたと判定する。また、ユーザ操作検出部１０５は、ユーザの指の所定本数よりも少ない任意の本数による操作入力に基づいて、所定のユーザ操作を検出する場合、ユーザの指の所定本数を２本とすると、ユーザの１本の指による操作を検出した場合もユーザの指の所定本数により操作されたと判定する。
【００３１】
以上のように、本発明の第二の実施形態による情報処理装置１０によれば、設定されているモードに関わらず、所定のユーザ操作と異なるユーザ操作を行うことで、個人情報などを含む公開内容の制限されていない画像を表示することができる。
【００３２】
＜第三の実施形態＞
第三の実施形態による情報処理装置１０の構成は、所定のユーザ操作と異なるユーザ操作を行うことで、個人情報などを含む公開内容の制限されていない画像を表示することができる第二の実施形態による情報処理装置１０の構成（図８）と同一であり、ユーザ操作検出部１０５の機能が異なる。
ここで、ユーザ操作検出部１０５は、ユーザの指の所定本数による操作入力、または、数量を識別可能なオブジェクトの所定数よる操作入力に基づいて、所定のユーザ操作を検出する機能部である。例えば、公開対象範囲の限定されていない出力情報を出力部１１０に出力する場合には、ユーザの１本の指または、タッチペンなど１本のオブジェクトで操作するように情報処理装置１０を設定し、公開対象範囲の限定されている出力情報を出力部１１０に出力する場合には、ユーザの２本の指または、オブジェクトの２か所で操作するように情報処理装置１０を設定する。
【００３３】
図１０Ａおよび１０Ｂは、本発明の第三の実施形態による情報処理装置１０の処理フローを示す図である。
情報処理装置１０が出力情報の種別に基づいて割り込み情報を出力部１１０に出力する場合を例に、第三の実施形態による情報処理装置１０の処理フローを説明する。ただし、第三の実施形態による情報処理装置１０の処理フローにおいて、第二の実施形態による情報処理装置１０の処理フローと異なる処理は、ステップＳ１２である。また、ここでは、情報処理装置１０が出力情報として画像を出力部１１０に出力する場合について説明する。
また、公開対象範囲の限定されていない出力情報が出力部１１０に出力されているときには、ユーザは１本の指または、タッチペンなど１本のオブジェクトで操作するように情報処理装置１０が設定されているものとし、公開対象範囲の限定されている出力情報が出力部１１０に出力されているときには、ユーザは２本の指または、オブジェクトの２か所で操作するように情報処理装置１０が設定されているものとする。
【００３４】
まず、ユーザは、出力情報として画像を撮影し記憶部１１１に記録する。あるいは、ユーザは、ユーザ以外の人が撮影した画像を出力情報として取得し、記憶部１１１に記録する。
そして、第二の実施形態による情報処理装置１０のステップＳ１〜ステップＳ１０と同様の設定操作を行う。
【００３５】
ステップＳ１０の処理に続き、出力制御部１０２は、ユーザ操作検出部１０５から検出結果を入力すると、公開内容の制限されていない画像を表示するという検出結果に基づいて記憶部１１１に記録した画像のうち公開対象範囲の限定されていることを示すフラグと関連付けられた画像も読み出し、出力部１１０に出力する（ステップＳ１２）。例えば図６で示したデータテーブルのように画像Ｂ、Ｃ、Ｄ、Ｆ、Ｇがそれぞれ種別として公開対象範囲の限定されていないことを示すフラグ“１”と関連付けられている場合において、出力制御部１０２が出力部１１０に画像Ｄを出力していると仮定する。ここで、ユーザが出力部１１０に表示されている画像Ｄを２本指で２度タップすると、出力制御部１０２は、公開対象範囲の限定されていることを示すフラグ“０”に関連付けられた画像Ｅを読み出し、出力部１１０に出力する。次に、ユーザが出力部１１０に表示されている画像Ｅを２本指で２度タップすると、出力制御部１０２は、公開対象範囲の限定されていないことを示すフラグ“１”に関連付けられた画像Ｆを読み出し、出力部１１０に出力する。
【００３６】
ここで、出力制御部１０２が公開対象範囲の限定されていることを示すフラグ“０”に関連付けられた画像である画像Ｅを出力部１１０に出力しているときに、情報処理装置１０が電話の着信通知を受信すると、ステップＳ１２の処理に続き、ステップＳ５、Ｓ６、Ｓ７（Ｓ７ａ、Ｓ７ｂ）の処理が行われる。
なお、上述の処理フローにおけるステップＳ８で、ユーザが２本の指により操作した場合、ユーザ操作検出部１０５は公開対象範囲の限定されている出力情報に対する公開内容の制限された画像を表示するという検出結果を出力制御部１０２に出力する。そして、出力制御部１０２は、ユーザ操作検出部１０５から検出結果を入力すると、公開内容の制限された画像を表示するという検出結果に基づいて記憶部１１１に記録した画像のうち公開対象範囲の限定されていることを示すフラグと関連付けられた画像も読み出し、出力部１１０に出力する。
【００３７】
以上のように、本発明の第一の実施形態による情報処理装置１０によれば、設定されているモードに関わらず、現在出力部１１０に出力されている出力の識別子に応じて、着信通知などの個人情報を出力するか否かを切り替えることができる。
また、個人情報の非表示状態において、所定のユーザ操作を行うことで、個人情報を表示することができる。
【００３８】
なお本発明の実施形態について説明したが、上述の情報処理装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００４０】
本願は、２０１３年３月６日に、日本に出願された特願２０１３−４３８２０号に基づき優先権を主張し、その内容をここに援用する。
【符号の説明】
【００４１】
１０・・・情報処理装置
１０１・・・割り込み情報出力要求検出部
１０２・・・出力制御部
１０３・・・情報種別判定部
１０４・・・フラグ付与部
１０５・・・ユーザ操作検出部
１１０・・・出力部
１１１・・・記憶部
２０１・・・表示アイコン
【図１】
2014136525.tif 000003
【図２】
2014136525.tif 000004
【図３】
2014136525.tif 000005
【図４】
2014136525.tif 000006
【図５】
2014136525.tif 000007
【図６】
2014136525.tif 000008
【図７Ａ】
2014136525.tif 000009
【図７Ｂ】
2014136525.tif 000010
【図８】
2014136525.tif 000011
【図９Ａ】
2014136525.tif 000012
【図９Ｂ】
2014136525.tif 000013
【図１０Ａ】
2014136525.tif 000014
【図１０Ｂ】
2014136525.tif 000015
【国際調査報告】
2014136525.tif 000016
2014136525.tif 000017
2014136525.tif 000018
2014136525.tif 000019
2014136525.tif 000020
2014136525.tif 000021
2014136525.tif 000022
2014136525.tif 000023